(57)【特許請求の範囲】
【請求項１】
上部に口部を有する容器本体と、前記口部に組み付けるポンプとからなり、前記ポンプの頭部を押下して前記容器本体から内容物を注出させる注出容器において、
前記容器本体は、該容器本体の胴部と前記口部をほぼ同一の径とした円筒状の広口容器であり、
該容器本体の内部に、該容器本体の上下方向に移動可能で、かつ該容器本体の内面に液密に取り付けられた中皿を具え、
前記ポンプは、注出口を具えた頭部と、該注出口に連通し、下方に延びる管体と、前記管体が摺動自在に組み付き、前記口部に脱着自在に取り付けられる蓋体と、前記管体の下部に移動可能に組み付く円板状のピストンと、吸引弁を介して前記容器本体の内部と連通し、内部に該ピストンが摺動自在に組み付くシリンダ室と、前記頭部と前記蓋体上面との間に組み付き、該頭部を上方に付勢するばねとを具え、
更に前記蓋体を、前記管体を組み付けた上蓋と、前記シリンダ室を有する下蓋とに、螺合により脱着可能に形成し、
前記管体の下部側面に該管体の内部に通じる導入孔を設け、前記頭部が上方に位置すると、前記ピストンの組付基部が該導入孔を閉鎖し、前記頭部を押下すると前記組付基部が該管体の上方に移動して該導入孔を開放させ、かつ該管体の下端に、該管体の下端を閉鎖する栓体を着脱可能に具えて構成したことを特徴とする注出容器。
【請求項２】
管体の下部内面に円筒状のピストンガイドを、該管体の下端より突出させて取り付け、該ピストンガイドの側面に導入孔を形成し、該ピストンガイドの下端に栓体を着脱可能に具え、ピストンの組付基部を該ピストンガイドの外周面に組み付け、前記管体の下端と該ピストンガイドの下端の間に該ピストンを移動可能に保持させたことを特徴とする請求項１に記載の注出容器。
【発明の詳細な説明】
【技術分野】
【０００１】
本発明は、流動食などの内容物を収納し、容器口部に具えたポンプを操作して内容物を注出させるポンプ付きの注出容器に関する。
【背景技術】
【０００２】
胃の中にチューブを差し入れ、チューブを通して栄養剤などの流動食を直接体内に注入させることがある。このようにして流動食を注入させる容器には、従来パウチなどからなる樹脂製容器が知られており、かかる容器内に流動食を収納し、その容器を患者より高い位置に吊り下げ、流動食の自重で容器から注出させて、胃の中に送り込むようにしていた。
【０００３】
また、電動ポンプをチューブに接続させ、流動食を収納した容器から電動ポンプで流動食を吸い上げ、患者の体内に送り込むようにした例も知られている。
【０００４】
更に、収納容器の口部に手押しの注出ポンプを組み付け、流動食をかかる注出容器に収納し、注出ポンプの頭部を押下して流動食を注出させることも考えられている。
【０００５】
【特許文献１】特開２００３−１２６２１７号公報
【発明の開示】
【発明が解決しようとする課題】
【０００６】
パウチ製容器は、一度きりの使い切り容器であり、そのため容器を繰り返し使用することができなかった。またパウチ製容器では、容器内に内容物を補充したり、状態に応じて流動食の成分を変更することも全くできなかった。
【０００７】
電動ポンプを用いた場合には、電源を近くに必要とし、装置も大掛かりとなるなどの問題があった。
【０００８】
手動のポンプを容器本体に組み付けた注出容器の場合には、次のような課題があった。
【０００９】
ポンプ付き容器は、従来口部の内径が小さく、容器内部に流動食を注入させにくかった。また流動食の粉末に水を加えて流動食を作る場合、容器の口部が狭いと容器内部で粉末と水とを攪拌するなどの作業がしにくかった。またポンプ付き容器とは別の容器で粉末と水を攪拌し、調整した流動食をポンプ付き容器に移し替えるやり方では手間がかかっていた。
【００１０】
更に従来のポンプ付き容器は、ポンプを容易に分解できる構造ではなかった。そのため、使用後にポンプを操作して湯などを吸い上げ、注出口から湯や水を吐出させてポンプ内に残る内容物を洗浄していたが、ポンプ内部、殊にシリンダ内部や、ピストンの周囲、注出口までの通路全体を完全に洗浄し内容物を除去することは難しかった。
【００１１】
また流動食を注出した際、注出された流動食と置換して容器内に空気が流入すると、流入した空気によって流動食が乾燥したり、酸化してしまうことがあった。
【００１２】
本発明は、容器内部での攪拌や、内容物の注入が容易で、しかも容器内部、殊にポンプ内部や容器内側を確実に洗浄できるポンプ付き注出容器を提供することを目的とする。
【課題を解決するための手段】
【００１３】
本発明は、上記課題を解決するため、上部に口部を有する容器本体と、口部に組み付けるポンプとからなり、ポンプの頭部を押下して容器本体から内容物を注出させる注出容器を次のように構成した。
【００１４】
容器本体を、口部が容器本体の胴部とほぼ同一の径に形成した円筒状の広口容器とし、更に容器本体の内部に中皿を、容器本体の内面に液密に、かつ容器本体の上下方向に移動可能に設けた。
【００１５】
またポンプを分解可能な構造とした。
【００１６】
具体的にはポンプを、注出口を具えた頭部と、注出口に連通し、下方に延びる管体と、管体が摺動自在に組み付き、口部に脱着自在に取り付けられる蓋体と、管体の下部に移動可能に組み付けた円板状のピストンと、容器本体の内部に吸引弁を介して連通し、ピストンが内部に摺動自在に組み付くシリンダ室と、頭部を上方に付勢するばねとを具え、
更に蓋体を、管体を組み付けた上蓋と、シリンダを有する下蓋とに、螺合により脱着可能に形成し、管体の下部側面に管体の内部に通じる導入孔を設け、頭部を上方に位置させると、管体の外周面に組み付けられるピストンの組付基部が導入孔を閉鎖し、頭部を押下すると組付基部が管体の上方に移動して導入孔が開放するようにし、かつ管体の下端に、管体の下端を閉鎖する栓体を着脱可能に設けて注出容器を構成した。
【００１７】
また管体の下部内面に円筒状のピストンガイドを、管体の下端より突出させて取り付け、ピストンガイドの側面に導入孔を形成し、ピストンガイドの下端に栓体を着脱可能に具え、ピストンの組付基部をピストンガイドの外周面に組み付け、管体の下端とピストンガイドの下端の間にピストンを移動可能に保持させて注出容器を構成した。
【発明の効果】
【００１８】
本発明の注出容器は、次のような特徴点がある。
【００１９】
ポンプの頭部を押下すると、ピストンがシリンダ内で押下され、それと同時に導入孔が開き、導入孔を通過した内容物が管体を通って上昇し、注出口から注出される。注出口には、胃の中に挿入したチューブが接続してあり、チューブを介して流動食などの内容物が患者の胃の中に送り出される。注出容器は、ピストンの押圧面が広いので、頭部を一度押下させるだけで十分な量の内容物を送り出すことができる。
【００２０】
頭部の押下動作を止め、頭部をばねにより上昇させると、導入孔がピストンの組付基部により閉鎖されるので、シリンダ内に負圧が生じ、負圧により流入弁が開いてシリンダ内に内容物が容器本体内から流入する。これにより、次に頭部が押下されたときに内容物が直ちに注出される。
【００２１】
管体に形成された導入孔とピストンの組付基部の簡易な構造により、管体の内部とシリンダ内部とを開閉制御できる。
【００２２】
また、内容物がシリンダ内に流入されると、中皿が内容物の減少に伴って上昇移動する。これにより内容物を注出させても容器本体内に空気が流入せず、内容物が空気に触れることがない。
【００２３】
ポンプの蓋体を上蓋と下蓋とに分解することにより、シリンダからピストンを抜き取り、シリンダ内部やピストンを直接洗浄できる。更に管体の下端から栓体を取り外し、管体内に水道水を流入させたり、管体の下部に蛇腹状のスポイトを接続させ、スポイトから洗浄水を押し入れることができ、容易にかつ確実に管体の内部全体を洗浄することができる。
【００２４】
容器本体が広口であるので、内容物を投入させ易く扱いが容易である。また容器本体内で流動食の粉末に水を加えて攪拌したり、異なる成分の副剤を適宜投入して所定の流動食を容易に調整することができる。したがって、別の容器で流動食を作る必要がなく、手間がかからない。更に容器本体が広口で、また中皿を容易に押し下げることができることから、簡易に、かつ確実に容器本体の内部を洗浄できる。
【発明を実施するための最良の形態】
【００２５】
本発明の注出容器の一実施形態について図を用いて説明する。
【００２６】
注出容器１は樹脂製の注出容器で、図５に示すようにポンプ２と、容器本体４から構成してあり、ポンプ２の蓋体６を図４に示すように、容器本体４の口部８にねじ止めして一体に組み付けてある。注出容器１は、例えばポンプ２の注出口１０にチューブ６０を取り付け、チューブ６０の先端を人体（図示せず。）の胃に挿入し、ポンプ２を操作して流動食などの内容物を送り出すように使用する。
【００２７】
ポンプ２は、頭部１４と、蓋体６と、ピストン１８と、シリンダ２０などから構成されている。頭部１４は、側方に延びる注出口１０と、下方に延びる管体１６とを具え、樹脂により一体に成形してある。管体１６は、注出口１０と内部で連通し、蓋体６の中央に形成された取付孔２８の内部に摺動自在に組み付けてある。また頭部１４の下方には、摺動筒体１５が管体１６と同心状に設けてある。
【００２８】
蓋体６は、共に樹脂製の上蓋２４と下蓋２６からなり、ねじ嵌合により脱着可能に組み付けられている。これによりポンプ２は、図１に示す上蓋２４を含む上半部３と、図２に示す下蓋２６を含む下半部５とに分割可能となっている。
【００２９】
上蓋２４は、図１に示すように、内面に雌ねじ２５を具え、頂板７の中心には管体１６が組み付く取付孔２８が形成してある。頂板７の上面には、円筒状の案内筒体１７が取付孔２８と同心状に形成してある。案内筒体１７は、頭部１４の下方に設けられた摺動筒体１５と摺動自在に組み付いている。管体１６と案内筒体１７の周状の間隙にはコイル状のばね２２が取り付けてあり、ばね２２により頭部１４が常に上方に付勢されている。
【００３０】
頂板７の下面には、取付孔２８と同径の保持筒体３０が形成してあり、保持筒体３０に管体１６が摺動自在に嵌合している。
【００３１】
管体１６は、下部において内径が二段に広く形成してあり、一段目の内部にピストンガイド３２が一体に固着してある。
【００３２】
ピストンガイド３２は、円筒状の樹脂製部材で、下端外周に雄ねじ３３が形成してあり、雄ねじ３３の上部にフランジ３６を具え、フランジ３６の上方に導入孔３８が形成してある。ピストンガイド３２は、内部が管体１６の内部と連続するように管体１６の内径と同一の内径に形成してある。
【００３３】
雄ねじ３３には、栓体３４がねじ嵌合により着脱自在に取り付け可能で、図４に示すように栓体３４を取り付けるとピストンガイド３２の下端が密閉される。
【００３４】
フランジ３６は、上面に周状の溝３７を有している。溝３７には、後述するピストン１８の組付基部１９の下端が液密に嵌合する。導入孔３８は、ピストンガイド３２の側壁に少なくとも一箇所形成してあり、ピストンガイド３２の内側と外側とを連通している。
【００３５】
ピストン１８は適度な弾性を有する樹脂製部材で、円板状の基板２１と、基板２１の内側に設けられた組付基部１９と、基板２１の外周縁に設けられた環状シール材２３とから形成されている。組付基部１９は円筒状で、下端が溝３７の内部に脱着可能に組み付き、上部は外方に開き、管体１６の二段目の内面に液密に接触する。
【００３６】
基板２１の上面は、組付基部１９の下端が溝３７内に収納された状態で、管体１６の下端から所定の距離だけ離れている。これによりピストン１８は、溝３７内に組付基部１９の下端が収納された状態から管体１６の下端が基板２１の上面に当接するまでの間、ピストンガイド３２の軸方向に移動可能となっている。
【００３７】
環状シール材２３は、シリンダ２０の内径にほぼ等しい外径で、上蓋２４と下蓋２６とを組み付けると環状シール材２３の外周面がシリンダ２０の内面に摺動自在に密接する。
【００３８】
下蓋２６は、図２に示すように外周に雄ねじ４１と雌ねじ４３とを具え、中心にシリンダ２０が取り付けられている。
【００３９】
雄ねじ４１は、上蓋２４の雌ねじ２５に噛みあい、雌ねじ４３は、容器本体４の口部８の外周に形成された雄ねじ５１（図３参照）に噛みあうように形成してある。
【００４０】
シリンダ２０は、円筒状のシリンダ壁４４と、底板４２からなり、底板４２に流入孔４５と弁４６が設けられている。弁４６は、底板４２の上面に取り付けてあり、シリンダ２０の外から内に向けて流入孔４５を開放させる。
【００４１】
容器本体４は、樹脂製の胴部５２と、胴部５２の下部に取り付けられた底板５６と、胴部５２内に組み付けられた中皿５４とから構成してあり、図３に示すように口部８から底板５６まで径の変化があまりない広口容器となっている。
【００４２】
口部８の外周には、雌ねじ４３に噛み合う雄ねじ５１が形成してある。
【００４３】
中皿５４は適度な弾性を有する樹脂製で、胴部５２の内面に摺動自在に密着し、容器本体４の軸方向に液密を保持した状態で上下動可能となっている。
【００４４】
底板５６は円板状で、中央に胴部５２の内部に連通する孔５８を有し、胴部５２の下部に固着、あるいは取り外し可能に取り付けられている。
【００４５】
次に、注出容器１を用いて流動食を注出させる操作、及び注出容器１内での各部の作動について説明する。
【００４６】
まず中皿５４を容器本体４の底部に移動させ、容器本体４の内部に流動食を投入する。流動食は、調整済みのものを袋などから容器本体４内に直接投入しても、粉末と水または湯を容器本体４内に投入して攪拌しても、流動食の主剤と副剤などを適宜投入して調整するようにしてもよい。
【００４７】
口部８にポンプ２を組み付け、注出口１０にチューブ６０を接続させる。頭部１４を複数回押下し、容器本体４内の空気を押し出し、流動食がチューブ６０内を流れ始めたらチューブ６０の先端を所定の場所に挿入する。
【００４８】
頭部１４を押下したときの注出容器１内における各部の動作について具体的に説明する。
【００４９】
図４に、頭部１４を押下する前の注出容器１を示す。この状態では、頭部１４はばね２２の付勢により、上方に配置されている。このため、管体１６は引き上げられ、組付基部１９が溝３７内に嵌り、保持筒体３０の下端が組付基部１９の上面に当接していることから、導入孔３８は閉鎖されている。
【００５０】
頭部１４をばね２２に抗して押下すると、管体１６が蓋体６の内部に押し下げられる。管体１６が押し下げられると、ピストンガイド３２もともに押し下げられる。しかし、管体１６の下端とピストン１８の基板２１の間には間隔があけてあることから、管体１６の下端が基板２１に接するまでピストン１８は移動しない。そのため組付基部１９の下端は、溝３７から離れ、組付基部１９の下端とフランジ３６との間に空間が形成され、導入孔３８が開放される。
【００５１】
一方ピストン１８が押し下げられるので、シリンダ２０の内圧が上昇し流入孔４５は弁４６により閉鎖される。
【００５２】
したがって頭部１４を押下することにより、シリンダ２０内に収納されている流動食が、開放された導入孔３８通って管体１６の内部に流入し、注出口１０からチューブ６０に注出される。
【００５３】
頭部１４から手を離し押下を止めると、頭部１４はばね２２により押し上げられる。管体１６が押し上げられるとピストンガイド３２が上方に移動して組付基部１９の下端が溝３７に嵌り、また組付基部１９の上部がピストンガイド３２の内面に接触していることから導入孔３８が閉鎖される。同時にピストン１８がピストンガイド３２に押し上げられシリンダ２０の内部に負圧が生じるので、弁４６が流入孔４５を開放させ、容器本体４内の流動食がシリンダ２０内に流入される。
【００５４】
更に容器本体４からシリンダ２０内に流動食が流入して、容器本体４内に収納されている流動食が減少すると、それに伴い中皿５４が順次引き上げられる。注出容器１に収納されていた流動食が全て注出されると、中皿５４は、図４の二点鎖線に示す位置、つまり蓋体６の直下に移動してくる。
【００５５】
次に、流動食を注出した注出容器１を分解し、洗浄する手順について説明する。
【００５６】
まず雌ねじ４３と雄ねじ５１の間を回動させて、ポンプ２を容器本体４から取り外す。取り外した容器本体４は、中皿５４を押し下げ、内部を洗浄する。
【００５７】
ポンプ２は、雌ねじ２５と雄ねじ４１の間を回動させ上蓋２４と下蓋２６とを分割する。上蓋２４と下蓋２６とを分割すると、シリンダ２０からピストン１８が取り出されるので、それぞれを洗浄する。また栓体３４をピストンガイド３２の下部から取り外し、ピストンガイド３２の下端から管体１６の内部を洗浄する。管体１６の内部は、水道水をピストンガイド３２に直接流入させて洗浄させても、あるいはピストンガイド３２の下端に蛇腹状のスポイトを取り付け、スポイトに入れた洗浄液を管体１６の内部に送り込むようにして洗浄してもよい。
【００５８】
これにより、容器本体４の内部、シリンダ２０の内部、ピストン１８の外表面、管体１６の内部など、従来洗浄しにくく、内容物が残存し易かった箇所を確実に全て洗浄できる。
【００５９】
洗浄した後は、上蓋２４と下蓋２６とを組み付け、容器本体４に流動食を投入し、ポンプ２を容器本体４に組み付けることにより、注出容器１を何度でも再利用することができる。
【００６０】
尚、注出容器１は流動食を注出させる容器として用いるだけでなく、他の用途に用いることができる。
【図面の簡単な説明】
【００６１】
【図１】本発明にかかる注出容器のポンプの一部を示す断面図である。
【図２】本発明にかかる注出容器のポンプの一部を示す断面図である。
【図３】本発明にかかる注出容器の容器本体を示す断面図である。
【図４】本発明にかかる注出容器の要部を示す断面図である。
【図５】本発明にかかる注出容器を示す側面図である。
【符号の説明】
【００６２】
１    注出容器
２    ポンプ
３    上半部
４    容器本体
５    下半部
６    蓋体
７    頂板
８    口部
１０  注出口
１４  頭部
１５  摺動筒体
１６  管体
１７  案内筒体
１８  ピストン
１９  組付基部
２０  シリンダ
２１  基板
２２  ばね
２３  環状シール材
２４  上蓋
２５  雌ねじ
２６  下蓋
２８  取付孔
３０  保持筒体
３２  ピストンガイド
３３  雄ねじ
３４  栓体
３６  フランジ
３７  溝
３８  導入孔
４１  雄ねじ
４２  底板
４３  雌ねじ
４４  シリンダ壁
４５  流入孔
４６  弁
５１  雄ねじ
５２  胴部
５４  中皿
５６  底板
５８  孔
６０  チューブ
【図１】
0004674719.tif 000002
【図２】
0004674719.tif 000003
【図３】
0004674719.tif 000004
【図４】
0004674719.tif 000005
【図５】
0004674719.tif 000006